(57)【要約】      （修正有）【課題】収納部に収納されている紙幣が多い場合でも確実に精査処理を行うことができ、また複数の金種の紙幣が混合してしまうことを防止することができる紙幣処理装置および紙幣処理方法を提供する。【解決手段】紙幣釣銭機１０は、各々が搬送部３０から送られた紙幣を収納するとともに収納された紙幣を搬送部３０に繰り出し可能な複数の紙幣収納部３４、３６、３８と、搬送部３０から送られた紙幣を収納するとともに収納された紙幣を搬送部３０に繰り出し可能な補助収納部（例えば、紙幣回収カセット４０）と、各紙幣収納部３４、３６、３８に収納されている紙幣を搬送部３０により補助収納部に送った後に補助収納部に収納された紙幣を搬送部３０により各紙幣収納部３４、３６、３８に戻し、この際に搬送部３０により搬送される紙幣を識別部３２により識別する精査処理を行う制御部（例えば、紙幣釣銭機制御部）とを備えている。【選択図】図２
2015170341.tif 000002
【特許請求の範囲】
【請求項１】
筐体と、
前記筐体内に紙幣を投入するための投入部と、
前記筐体内で紙幣の搬送を行う搬送部と、
前記搬送部に設けられ、当該搬送部により搬送される紙幣の識別を行う識別部と、
前記搬送部にそれぞれ接続され、各々が前記搬送部から送られた紙幣を収納するとともに収納された紙幣を前記搬送部に繰り出し可能な複数の収納部と、
前記搬送部に接続され、前記搬送部から送られた紙幣を収納するとともに収納された紙幣を前記搬送部に繰り出し可能な補助収納部と、
各前記収納部に収納されている紙幣を前記搬送部により前記補助収納部に送った後に前記補助収納部に収納された紙幣を前記搬送部により各前記収納部に戻し、この間に前記搬送部により搬送される紙幣を前記識別部により識別する精査処理を行う制御部と、
を備えた、紙幣処理装置。
【請求項２】
前記補助収納部は前記筐体内から取り出し可能となっている、請求項１記載の紙幣処理装置。
【請求項３】
前記補助収納部には、当該補助収納部に収納された紙幣を前記搬送部に繰り出す繰出機構が設けられており、
前記補助収納部が前記筐体内に収容されているときに前記紙幣処理装置の本体側から前記補助収納部の前記繰出機構に動力が伝達されることによって前記繰出機構は前記補助収納部に収納された紙幣を前記搬送部に繰り出すようになっている、請求項２記載の紙幣処理装置。
【請求項４】
前記補助収納部は前記筐体の前面から手前側に引き出し可能となっている、請求項２または３記載の紙幣処理装置。
【請求項５】
前記制御部は、前記補助収納部を、前記投入部により前記筐体内に投入されて前記識別部により識別された紙幣を一時的に保留する入金一時保留部として機能させることができるようになっており、入金確定の指令が前記制御部に与えられたときに、入金一時保留部として機能する前記補助収納部に一時的に保留された紙幣が各前記収納部に送られるようになっている、請求項１乃至４のいずれか一項に記載の紙幣処理装置。
【請求項６】
前記制御部は、各前記収納部に収納されている紙幣の在高データと前記精査処理による精査結果とが異なるときに、前記在高データを前記精査結果と合致させるよう当該在高データの更新を行うようになっている、請求項１乃至５のいずれか一項に記載の紙幣処理装置。
【請求項７】
筐体と、
前記筐体内に紙幣を投入するための投入部と、
前記筐体内で紙幣の搬送を行う搬送部と、
前記搬送部に設けられ、当該搬送部により搬送される紙幣の識別を行う識別部と、
前記搬送部にそれぞれ接続され、各々が前記搬送部から送られた紙幣を収納するとともに収納された紙幣を前記搬送部に繰り出し可能な複数の収納部と、
前記搬送部に接続され、前記搬送部から送られた紙幣を収納するとともに収納された紙幣を前記搬送部に繰り出し可能な補助収納部と、
を備えた、紙幣処理装置。
【請求項８】
前記補助収納部は前記筐体内から取り出し可能となっている、請求項７記載の紙幣処理装置。
【請求項９】
筐体と、前記筐体内に紙幣を投入するための投入部と、前記筐体内で紙幣の搬送を行う搬送部と、前記搬送部に設けられ、当該搬送部により搬送される紙幣の識別を行う識別部と、前記搬送部にそれぞれ接続され、各々が前記搬送部から送られた紙幣を収納するとともに収納された紙幣を前記搬送部に繰り出し可能な複数の収納部と、前記搬送部に接続され、前記搬送部から送られた紙幣を収納するとともに収納された紙幣を前記搬送部に繰り出し可能な補助収納部とを備えた紙幣処理装置による紙幣処理方法であって、
各前記収納部に収納されている紙幣を前記搬送部により前記補助収納部に送る工程と、
前記補助収納部に収納された紙幣を前記搬送部により各前記収納部に戻す工程と、
各前記収納部に収納されている紙幣を前記搬送部により前記補助収納部に送る工程または前記補助収納部に収納された紙幣を前記搬送部により各前記収納部に戻す工程の少なくとも一方において前記搬送部により搬送される紙幣を前記識別部により識別する工程と、
を備えた、紙幣処理方法。
【請求項１０】
前記補助収納部は前記筐体内から取り出し可能となっている、請求項９記載の紙幣処理方法。
【発明の詳細な説明】
【技術分野】
【０００１】
本発明は、紙幣の処理を行う紙幣処理装置および紙幣処理方法に関し、とりわけ、紙幣の精査処理を行うことができる紙幣処理装置および紙幣処理方法に関する。
【背景技術】
【０００２】
従来から、売上金としての紙幣が入金されるとともに釣銭としての紙幣を出金する紙幣釣銭機として様々なタイプのものが知られている。より詳細には、紙幣釣銭機として、紙幣を入金するための入金口と、紙幣を出金するための出金口と、紙幣を金種別に収納する複数の金種別収納庫と、入金口、出金口および各金種別収納庫の間で紙幣を搬送する搬送部と、搬送部により搬送される紙幣を識別する識別部とを備えたものが従来から用いられていた。また、このような紙幣釣銭機では、筐体内に収納されている紙幣の在高を確認するために精査処理が行われるようになっている。精査処理とは、各金種別収納庫に収納されている紙幣を筐体内の別の場所に移動させ、その後、紙幣が移された場所から元の金種別収納庫に紙幣を戻し、各金種別収納庫から別の場所に紙幣を移動させる際または別の場所から各金種別収納庫に紙幣を戻す際に識別部により紙幣の計数を行うことで機内の紙幣の在高を確認する処理のことをいう。例えば、特許文献１には、精査用の収納庫として使用される混合収納庫（通常は、一万円紙幣および二千円紙幣が収納される）を空にし、次に千円収納庫に収納された千円紙幣を精査用の収納庫に移動させ、この際に識別部により千円紙幣の枚数を計数し、その後、再び精査用の収納庫を空にして五千円収納庫から五千円紙幣を精査用の収納庫に移動させ、この際に識別部により五千円紙幣の枚数を計数するような紙幣処理装置が開示されている。
【先行技術文献】
【特許文献】
【０００３】
【特許文献１】特許第５０６２３０９号公報
【発明の概要】
【発明が解決しようとする課題】
【０００４】
しかしながら、特許文献１に開示されるような従来の紙幣処理装置による精査処理の方法では、最初に精査用の収納庫として使用される混合収納庫を空にする際にこの混合収納庫に収納されている一万円紙幣および二千円紙幣を五千円収納庫に移動させる必要があり、五千円収納庫に収納されている五千円紙幣の枚数が多いと混合収納庫に収納されている一万円紙幣および二千円紙幣を五千円収納庫に移すことができず精査処理を行うことができないという問題がある。また、このような従来の紙幣処理装置による精査処理の方法では、五千円紙幣と一万円紙幣や二千円紙幣とが同じ収納庫に収納されることとなるため、収納庫で紙幣の詰まり等のトラブルが発生したときに五千円紙幣と一万円紙幣や二千円紙幣との区分けが面倒であるという問題がある。
【０００５】
本発明は、このような点を考慮してなされたものであり、精査処理を行う際に収納部とは別に設けられた補助収納部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる紙幣処理装置および紙幣処理方法を提供することを目的とする。
【課題を解決するための手段】
【０００６】
本発明の紙幣処理装置は、筐体と、前記筐体内に紙幣を投入するための投入部と、前記筐体内で紙幣の搬送を行う搬送部と、前記搬送部に設けられ、当該搬送部により搬送される紙幣の識別を行う識別部と、前記搬送部にそれぞれ接続され、各々が前記搬送部から送られた紙幣を収納するとともに収納された紙幣を前記搬送部に繰り出し可能な複数の収納部と、前記搬送部に接続され、前記搬送部から送られた紙幣を収納するとともに収納された紙幣を前記搬送部に繰り出し可能な補助収納部と、各前記収納部に収納されている紙幣を前記搬送部により前記補助収納部に送った後に前記補助収納部に収納された紙幣を前記搬送部により各前記収納部に戻し、この間に前記搬送部により搬送される紙幣を前記識別部により識別する精査処理を行う制御部と、を備えている。
【０００７】
このような紙幣処理装置によれば、精査処理を行う際に、各収納部に収納されている紙幣を搬送部により補助収納部に送った後にこの補助収納部に収納された紙幣を搬送部により各収納部に戻し、この際に搬送部により搬送される紙幣を識別部により識別するようになっている。この場合には、精査処理を行う際に収納部とは別に設けられた補助収納部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる。
【０００８】
本発明の紙幣処理装置においては、前記補助収納部は前記筐体内から取り出し可能となっていてもよい。
【０００９】
この場合、前記補助収納部には、当該補助収納部に収納された紙幣を前記搬送部に繰り出す繰出機構が設けられており、前記補助収納部が前記筐体内に収容されているときに前記紙幣処理装置の本体側から前記補助収納部の前記繰出機構に動力が伝達されることによって前記繰出機構は前記補助収納部に収納された紙幣を前記搬送部に繰り出すようになっていてもよい。
【００１０】
また、前記補助収納部は前記筐体の前面から手前側に引き出し可能となっていてもよい。
【００１１】
本発明の紙幣処理装置においては、前記制御部は、前記補助収納部を、前記投入部により前記筐体内に投入されて前記識別部により識別された紙幣を一時的に保留する入金一時保留部として機能させることができるようになっており、入金確定の指令が前記制御部に与えられたときに、入金一時保留部として機能する前記補助収納部に一時的に保留された紙幣が各前記収納部に送られるようになっていてもよい。
【００１２】
本発明の紙幣処理装置においては、前記制御部は、各前記収納部に収納されている紙幣の在高データと前記精査処理による精査結果とが異なるときに、前記在高データを前記精査結果と合致させるよう当該在高データの更新を行うようになっていてもよい。
【００１３】
本発明の紙幣処理装置は、筐体と、前記筐体内に紙幣を投入するための投入部と、前記筐体内で紙幣の搬送を行う搬送部と、前記搬送部に設けられ、当該搬送部により搬送される紙幣の識別を行う識別部と、前記搬送部にそれぞれ接続され、各々が前記搬送部から送られた紙幣を収納するとともに収納された紙幣を前記搬送部に繰り出し可能な複数の収納部と、前記搬送部に接続され、前記搬送部から送られた紙幣を収納するとともに収納された紙幣を前記搬送部に繰り出し可能な補助収納部と、を備えている。
【００１４】
このような紙幣処理装置においては、前記補助収納部は前記筐体内から取り出し可能となっていてもよい。
【００１５】
本発明の紙幣処理方法は、筐体と、前記筐体内に紙幣を投入するための投入部と、前記筐体内で紙幣の搬送を行う搬送部と、前記搬送部に設けられ、当該搬送部により搬送される紙幣の識別を行う識別部と、前記搬送部にそれぞれ接続され、各々が前記搬送部から送られた紙幣を収納するとともに収納された紙幣を前記搬送部に繰り出し可能な複数の収納部と、前記搬送部に接続され、前記搬送部から送られた紙幣を収納するとともに収納された紙幣を前記搬送部に繰り出し可能な補助収納部とを備えた紙幣処理装置による紙幣処理方法であって、各前記収納部に収納されている紙幣を前記搬送部により前記補助収納部に送る工程と、前記補助収納部に収納された紙幣を前記搬送部により各前記収納部に戻す工程と、各前記収納部に収納されている紙幣を前記搬送部により前記補助収納部に送る工程または前記補助収納部に収納された紙幣を前記搬送部により各前記収納部に戻す工程の少なくとも一方において前記搬送部により搬送される紙幣を前記識別部により識別する工程と、を備えている。
【００１６】
このような紙幣処理方法によれば、精査処理を行う際に、各収納部に収納されている紙幣を搬送部により補助収納部に送った後にこの補助収納部に収納された紙幣を搬送部により各収納部に戻し、この際に搬送部により搬送される紙幣を識別部により識別するようになっている。この場合には、精査処理を行う際に収納部とは別に設けられた補助収納部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる。
【００１７】
本発明の紙幣処理方法においては、前記補助収納部は前記筐体内から取り出し可能となっていてもよい。
【発明の効果】
【００１８】
本発明の紙幣処理装置および紙幣処理方法によれば、収納部に収納されている紙幣が多い場合でも確実に精査処理を行うことができ、また複数の金種の紙幣が混合してしまうことを防止することができる。
【図面の簡単な説明】
【００１９】
【図１Ａ】本発明の実施の形態による紙幣釣銭機を備えた貨幣管理システムの構成の概略を示す概略構成図である。
【図１Ｂ】本発明の実施の形態における紙幣釣銭機の構成を示す斜視図である。
【図２】図１Ｂ等に示す紙幣釣銭機の内部構成の概略を示す概略構成図である。
【図３Ａ】図２等に示す紙幣釣銭機に設けられた紙幣回収カセットの構成を示す図である。
【図３Ｂ】図２等に示す紙幣釣銭機に設けられた紙幣回収カセットの構成を示す図である。
【図４Ａ】図２等に示す紙幣釣銭機に設けられた紙幣回収カセットを後方側から見たときの構成を示す斜視図である。
【図４Ｂ】図４Ａに示す紙幣回収カセットの内部に設けられた搬送ベルトおよびこの搬送ベルトを駆動させる紙幣釣銭機の本体部側の駆動ギヤの構成を示す斜視図である。
【図４Ｃ】図４Ａに示す紙幣回収カセットの内部に設けられた紙幣押さえ部材の構成を示す斜視図である。
【図４Ｄ】図４Ｃに示す紙幣押さえ部材を上下方向に移動させるリンク機構および本体部側の駆動ギヤの構成を示す斜視図である。
【図５】図１Ａに示す貨幣管理システムにおける紙幣釣銭機、硬貨釣銭機およびＰＯＳレジスタの制御系の構成を示す機能ブロック図である。
【図６】図２等に示す紙幣釣銭機における入金処理時の紙幣の流れを示す図である。
【図７】図２等に示す紙幣釣銭機における出金処理時の紙幣の流れを示す図である。
【図８】図２等に示す紙幣釣銭機における精査処理時の紙幣の流れを示す図である。
【図９】図８に引き続く、図１等に示す紙幣釣銭機における精査処理時の紙幣の流れを示す図である。
【図１０】図２等に示す紙幣釣銭機において紙幣回収カセットを入金一時保留部として使用したときの入金処理時の紙幣の流れを示す図である。
【図１１】図１０に引き続く、図２等に示す紙幣釣銭機において紙幣回収カセットを入金一時保留部として使用したときの入金処理時の紙幣の流れを示す図である。
【図１２】図２等に示す紙幣釣銭機におけるオーバーフロー紙幣処理時や紙幣回収カセットから各紙幣収納部への紙幣の補充処理時の紙幣の流れを示す図である。
【図１３】図２等に示す紙幣釣銭機におけるダイレクト出金処理時の紙幣の流れを示す図である。
【図１４】図２等に示す紙幣釣銭機における自動精査処理前のオーバーフロー紙幣の回収処理時の紙幣の流れを示す図である。
【図１５】図２等に示す紙幣釣銭機における自動精査処理前のオーバーフロー紙幣の回収処理時の紙幣の流れを示す図である。
【図１６】図２等に示す紙幣釣銭機における自動精査処理前のオーバーフロー紙幣の回収処理時の紙幣の流れを示す図である。
【図１７】変形例に係る紙幣釣銭機の内部構成を示す概略構成図である。
【発明を実施するための形態】
【００２０】
以下、図面を参照して本発明の実施の形態について説明する。図１Ａ乃至図１６は、本実施の形態による紙幣釣銭機およびこの紙幣釣銭機を備えた貨幣管理システムを示す図である。このうち、図１Ａは、本実施の形態による紙幣釣銭機を備えた貨幣管理システムの構成の概略を示す概略構成図であり、図１Ｂは、本実施の形態における紙幣釣銭機の構成を示す斜視図である。また、図２は、図１Ｂ等に示す紙幣釣銭機の内部構成の概略を示す概略構成図である。また、図３Ａおよび図３Ｂは、図２等に示す紙幣釣銭機に設けられた紙幣回収カセットの構成を示す図である。また、図４Ａ乃至図４Ｄは、図２等に示す紙幣釣銭機に設けられた紙幣回収カセットやこの紙幣回収カセットの内部に設けられた搬送ベルトや紙幣押さえ部材を駆動する機構の構成を示す斜視図である。また、図５は、図１Ａに示す貨幣管理システムにおける紙幣釣銭機、硬貨釣銭機およびＰＯＳレジスタの制御系の構成を示す機能ブロック図である。また、図６乃至図１６は、図２等に示す紙幣釣銭機における入金処理や出金処理の様々な処理時の紙幣の流れを示す図である。
【００２１】
まず、本実施の形態による紙幣釣銭機１０を備えた貨幣管理システムの構成について図１Ａを用いて説明する。図１Ａに示すように、本実施の形態による貨幣管理システムでは、コンビニエンスストアやスーパーマーケット等の商業施設の店舗のフロント領域２のレジ精算所に設けられた紙幣釣銭機１０、硬貨釣銭機７０、ＰＯＳレジスタ７２ならびに店舗のバックヤード領域４の出納室等に設けられた売上金入出金機８０をコンピュータ等の管理装置９０で一体的に管理するようになっている。ここで、紙幣釣銭機１０、硬貨釣銭機７０およびＰＯＳレジスタ７２によりレジユニットが構成されており、このようなレジユニットでは紙幣釣銭機１０および硬貨釣銭機７０が左右方向に並べて配置されるとともにＰＯＳレジスタ７２が紙幣釣銭機１０および硬貨釣銭機７０の上方に配置されるようになっている。
【００２２】
次に、紙幣釣銭機１０の構成の詳細について説明する。図１Ｂに示すように、本実施の形態による紙幣釣銭機１０は、その前面に開口が設けられた略直方体形状のケーシング１２と、ケーシング１２の内部から手前側に引き出し可能となっている本体部１４とを備えている。具体的には、本体部１４の下部には左右一対の引き出しレール１６が設けられており、各引き出しレール１６に沿って本体部１４をケーシング１２の内部から手前側に引き出すことができるようになっている。なお、図１Ｂでは本体部１４がケーシング１２の内部から引き出されたときの状態が示されているが、紙幣釣銭機１０が実際に使用される際には本体部１４はケーシング１２の内部に収容された状態で紙幣の入出金処理等の様々な処理が行われるようになっている。
【００２３】
図２等に示すように、本体部１４には紙幣を１枚ずつ搬送する搬送部３０が設けられている。搬送部３０は本体部１４の中央位置に配置された周回搬送部３０ａおよび複数の接続搬送部３０ｂから構成されている。また、紙幣受入部２０、紙幣払出部２２、出金リジェクト部２４、紙幣回収カセット４０および３つの紙幣収納部３４、３６、３８が、それぞれ、周回搬送部３０ａを外側から取り囲むように配置されている。また、図２等に示すように、複数の接続搬送部３０ｂの各々により、紙幣受入部２０、紙幣払出部２２、出金リジェクト部２４、紙幣回収カセット４０および各紙幣収納部３４、３６、３８と、周回搬送部３０ａとの間をそれぞれ接続するようになっている。また、周回搬送部３０ａには識別部３２が設けられており、この識別部３２は、周回搬送部３０ａにより搬送される紙幣の金種、真偽、正損等の識別を行うようになっている。
【００２４】
周回搬送部３０ａは、図２における時計回りの方向および反時計回りの方向の両方向に紙幣を１枚ずつ搬送することができるようになっている。また、搬送部３０において、周回搬送部３０ａと各接続搬送部３０ｂとの間で紙幣の搬送経路を切り換える経路切換部（図示せず）が、周回搬送部３０ａに沿って配置されている。
【００２５】
図１Ｂおよび図２に示すように、本体部１４の前面には、紙幣受入部２０の紙幣受入口２０ａと、紙幣払出部２２の紙幣取出口２２ａとがそれぞれ設けられている。また、紙幣回収カセット４０は本体部１４に対して着脱可能に設置されている。
【００２６】
紙幣受入部２０には紙幣繰出機構２１が設けられており、紙幣受入口２０ａに１枚あるいは複数枚の紙幣が投入されたことが検知されると紙幣繰出機構２１が駆動されることにより紙幣が接続搬送部３０ｂを介して周回搬送部３０ａ側へ１枚ずつ繰り出されるようになっている。
【００２７】
紙幣払出部２２は、各紙幣収納部３４、３６、３８から周回搬送部３０ａに繰り出された紙幣を紙幣取出口２２ａにより本体部１４の外部へ放出するようになっている。
【００２８】
出金リジェクト部２４は、出金処理時において各紙幣収納部３４、３６、３８から繰り出された紙幣のうち、重送や斜行等の搬送異常により識別部３２で識別することができない紙幣を出金リジェクト紙幣として収納するようになっている。また、紙幣受入部２０から紙幣釣銭機１０の筐体内に取り込まれた紙幣のうち、入金処理時において汚損等により識別部３２で識別することができない紙幣は入金リジェクト紙幣として紙幣払出部２２に返却されるようになっている。
【００２９】
本体部１４の前面下部にはカセット収容部５０が設けられており、このカセット収容部５０に紙幣回収カセット４０が着脱可能に収容されるようになっている。紙幣回収カセット４０は本体部１４の前面から手前側に引き出すことにより当該本体部１４の外部に取り出すことができるようになっており、紙幣回収カセット４０を着脱する際に、本体部１４をケーシング１２から引き出す必要がないためセキュリティ性が高い。このような紙幣回収カセット４０やカセット収容部５０の構成の詳細については後述する。
【００３０】
各紙幣収納部３４、３６、３８は、識別部３２の識別結果に基づいて紙幣を金種別に収納するようになっている。具体的には、例えば紙幣収納部３４には千円札が収納され、紙幣収納部３６には二千円札および五千円札が混合状態で収納され、紙幣収納部３８には一万円札が収納されるようになっている。また、各紙幣収納部３４、３６、３８にはそれぞれ紙幣繰出機構３５、３７、３９が設けられており、これらの紙幣収納部３４、３６、３８に収納されている紙幣は各紙幣繰出機構３５、３７、３９により接続搬送部３０ｂを介して周回搬送部３０ａ側へ１枚ずつ繰り出されるようになっている。
【００３１】
次に、紙幣回収カセット４０の構成の詳細について図３Ａおよび図３Ｂを用いて説明する。なお、図３Ａは、紙幣回収カセット４０に紙幣が収納されているときの状態を示す図であり、図３Ｂは、紙幣回収カセット４０に収納された紙幣を繰り出すときの状態を示す図である。また、本実施の形態では、紙幣回収カセット４０は、カセット収容部５０に収容されたときに搬送部３０に接続され、この紙幣回収カセット４０は搬送部３０から送られた紙幣を収納するとともに収納された紙幣を搬送部３０に繰り出し可能な補助収納部として用いられるようになっている。
【００３２】
図３Ａおよび図３Ｂに示すように、紙幣回収カセット４０の内部にはステージ４８が設けられており、搬送部３０の接続搬送部３０ｂから紙幣回収カセット４０に送られた紙幣はステージ４８上に積層状態で集積されるようになっている。また、ステージ４８の下部にはパンタグラフ形状の昇降機構４９が設けられており、当該昇降機構４９によりステージ４８を上下方向に移動させることができるようになっている。より詳細には、昇降機構４９によりステージ４８には常に上向きの力が付勢されるようになっている。また、紙幣回収カセット４０の内部には、ステージ４８上に集積された紙幣を上方から下向きに押さえる紙幣押さえ部材４６が設けられている。紙幣押さえ部材４６は上下方向に移動自在となっており、紙幣回収カセット４０に紙幣を収納している状態では図３Ａに示すように当該紙幣押さえ部材４６は後述する搬送ベルト４２よりも下方に位置し、一方、紙幣回収カセット４０から紙幣を繰り出すときには図３Ｂに示すように紙幣押さえ部材４６は後述する搬送ベルト４２よりも上方の位置に移動するようになっている。
【００３３】
また、紙幣回収カセット４０の内部には、ステージ４８上に集積された紙幣を繰り出す搬送ベルト４２が設けられている。図３Ｂに示すように紙幣押さえ部材４６が搬送ベルト４２よりも上方の位置に移動してステージ４８上に集積された複数の紙幣のうち最上層にある紙幣が搬送ベルト４２に接触したときに、当該搬送ベルト４２が図３Ｂにおける時計回りの方向に循環移動することにより、ステージ４８上に集積された紙幣が図３Ｂにおける左方向に１枚ずつ繰り出されるようになっている。また、搬送ベルト４２にはピンチローラ４４および分離ローラ４５がそれぞれ当接しており、ステージ４８上に集積された紙幣が繰り出されるときに当該紙幣は搬送ベルト４２と分離ローラ４５との間に形成されたゲート部により１枚ずつに分離され、また、搬送ベルト４２とピンチローラ４４との間のニップ部から接続搬送部３０ｂに繰り出されるようになっている。
【００３４】
また、図３Ａおよび図３Ｂに示すように、カセット収容部５０には有無検知センサ５２が設けられており、紙幣回収カセット４０に紙幣が収納されているか否かが有無検知センサ５２により検知されるようになっている。具体的には、有無検知センサ５２は発光素子および受光素子を含む光センサからなり、発光素子から発せられた光が紙幣回収カセット４０に収納されている紙幣により遮光されて受光素子に到達しなくなったときに紙幣回収カセット４０に紙幣が収納されていることが検知されるようになっている。
【００３５】
図４Ａは、紙幣回収カセット４０を後方側から見たときの構成を示す斜視図である。図４Ａに示すように、紙幣回収カセット４０は略直方体形状のものからなり、その背面には紙幣出入口４１が形成されている。このような紙幣回収カセット４０がカセット収容部５０に収容されているときに、本体部１４の接続搬送部３０ｂから紙幣回収カセット４０に送られた紙幣はこの紙幣出入口４１を通って当該紙幣回収カセット４０の内部にあるステージ４８上に集積される。また、紙幣回収カセット４０から繰り出された紙幣が本体部１４の接続搬送部３０ｂに送られる際に、搬送ベルト４２とピンチローラ４４との間のニップ部から繰り出された紙幣は紙幣出入口４１を通って接続搬送部３０ｂに送られるようになっている。また、このような紙幣回収カセット４０には、当該紙幣回収カセット４０の扉等の開閉を行うための錠機構が設けられている。
【００３６】
本実施の形態では、紙幣回収カセット４０がカセット収容部５０に収容されているときに本体部１４から紙幣回収カセット４０の搬送ベルト４２や紙幣押さえ部材４６に動力が伝達されることによって搬送ベルト４２は紙幣回収カセット４０に収納された紙幣を接続搬送部３０ｂに繰り出すようになっている。このような構成の詳細について図４Ｂ、図４Ｃおよび図４Ｄを用いて説明する。なお、図４Ｂは、図４Ａに示す紙幣回収カセット４０の内部に設けられた搬送ベルト４２およびこの搬送ベルト４２を駆動させる紙幣釣銭機１０の本体部１４側の駆動ギヤ５４の構成を示す斜視図であり、図４Ｃは、図４Ａに示す紙幣回収カセット４０の内部に設けられた紙幣押さえ部材４６の構成を示す斜視図である。また、図４Ｄは、図４Ｃに示す紙幣押さえ部材４６を上下方向に移動させるリンク機構４７および本体部１４側の駆動ギヤ５６の構成を示す斜視図である。
【００３７】
図４Ｂに示すように、搬送ベルト４２は、ベルト用ギヤ４３と同軸となるよう設けられたプーリ４２ａに張架されている。また、紙幣釣銭機１０の本体部１４側にはベルト用ギヤ４３と係合可能な駆動ギヤ５４が設けられており、紙幣回収カセット４０がカセット収容部５０に収容されたときに本体部１４側の駆動ギヤ５４が図４Ｂの矢印に示すように紙幣回収カセット４０側のベルト用ギヤ４３に向かって相対的に移動し、本体部１４側の駆動ギヤ５４と紙幣回収カセット４０側のベルト用ギヤ４３とが係合するようになる。このような状態で本体部１４側の駆動ギヤ５４が回転駆動されると紙幣回収カセット４０側のベルト用ギヤ４３も連れ回るようになり、プーリ４２ａを介して搬送ベルト４２が駆動されるようになる。
【００３８】
また、図４Ｃに示すように、紙幣押さえ部材４６にはリンク機構４７が設けられており、このリンク機構４７には開口４７ａが形成されている。また、紙幣釣銭機１０の本体部１４側には駆動ギヤ５６が設けられており、この駆動ギヤ５６にはリンク機構４７の開口４７ａに入り込むことができるピン部材５６ａが設けられている。そして、紙幣回収カセット４０がカセット収容部５０に収容されたときに本体部１４側の駆動ギヤ５６が図４Ｄの矢印に示すように紙幣回収カセット４０側のリンク機構４７に向かって相対的に移動し、駆動ギヤ５６に設けられたピン部材５６ａがリンク機構４７の開口４７ａに入り込むようになる。このような状態で駆動ギヤ５６が回転駆動されるとピン部材５６ａが上下方向に移動することによりリンク機構４７もピン部材５６ａに押圧されて上下方向に移動するようになる。このようにして、紙幣押さえ部材４６が上下方向に移動するようになる。
【００３９】
なお、上記説明では、搬送ベルト４２を駆動する本体部１４側の駆動ギヤ５４および紙幣押さえ部材４６を駆動する本体部１４側の駆動ギヤ５６として別々のものが用いられる態様について述べたが、搬送ベルト４２および紙幣押さえ部材４６を本体部１４側の１つの駆動ギヤにより駆動するようになっていてもよい。また、カセット収容部５０には、装着された紙幣回収カセット４０を固定させる錠機構が設けられている。錠機構は電子錠からなり、本体操作または外部からの指示に基づいて解錠可能となっている。錠機構が解錠されると、カセット収容部５０から紙幣回収カセット４０を取り出すことができるようになる。
【００４０】
次に、本実施の形態による紙幣釣銭機１０を備えた貨幣管理システムの制御系の構成について図５を用いて説明する。図５は、図１Ａに示す貨幣管理システムにおける紙幣釣銭機１０、硬貨釣銭機７０およびＰＯＳレジスタ７２の制御系の構成を示す機能ブロック図である。
【００４１】
図５に示すように、紙幣釣銭機１０、硬貨釣銭機７０、ＰＯＳレジスタ７２にはそれぞれ紙幣釣銭機制御部６０、硬貨釣銭機制御部７０ａ、ＰＯＳ制御部７３がそれぞれ設けられている。ここで、紙幣釣銭機１０の紙幣釣銭機制御部６０および硬貨釣銭機７０の硬貨釣銭機制御部７０ａは互いに通信可能となるよう接続されている。また、硬貨釣銭機７０の硬貨釣銭機制御部７０ａおよびＰＯＳレジスタ７２のＰＯＳ制御部７３は互いに通信可能となるよう接続されている。また、ＰＯＳレジスタ７２のＰＯＳ制御部７３および管理装置９０は互いに通信可能となるよう接続されている。
【００４２】
ＰＯＳレジスタ７２においてＰＯＳ制御部７３にはカードリーダ７４、印字部７５、表示部７６、操作部７７、記憶部７８およびインターフェース７９がそれぞれ接続されている。カードリーダ７４は、操作者のＩＤカードを読み取ることにより操作者ＩＤや操作者の権限等に関する情報を取得するようになっている。また、印字部７５は例えばプリンタから構成され、レシートに取引内容を印字したり、紙幣釣銭機１０や硬貨釣銭機７０の在高等の様々な情報を印字したりするようになっている。また、表示部７６は、紙幣釣銭機１０や硬貨釣銭機７０における紙幣や硬貨の処理状況や、紙幣釣銭機１０や硬貨釣銭機７０の在高等の情報を表示するようになっている。また、操作部７７は、操作者が操作することができるようになっており、ＰＯＳ制御部７３に対して様々な指令を与えることができるようになっている。また、記憶部７８は、紙幣釣銭機１０や硬貨釣銭機７０における紙幣や硬貨の処理状況や、紙幣釣銭機１０や硬貨釣銭機７０の在高等の情報を記憶するようになっている。また、ＰＯＳ制御部７３はインターフェース７９により硬貨釣銭機７０の硬貨釣銭機制御部７０ａや管理装置９０に対して信号の送受信を行うようになっている。
【００４３】
また、硬貨釣銭機７０の硬貨釣銭機制御部７０ａは、当該硬貨釣銭機７０の各構成要素の制御を行うようになっている。なお、図５に示す機能ブロック図では、硬貨釣銭機制御部７０ａにより制御される硬貨釣銭機７０の各構成要素の図示を省略している。また、硬貨釣銭機制御部７０ａにはインターフェース７１が接続されており、当該硬貨釣銭機制御部７０ａはインターフェース７１によりＰＯＳレジスタ７２のＰＯＳ制御部７３や紙幣釣銭機１０の紙幣釣銭機制御部６０に対して信号の送受信を行うようになっている。
【００４４】
また、紙幣釣銭機１０において、紙幣釣銭機制御部６０には、インターフェース６１、紙幣受入部２０に設けられた紙幣繰出機構２１、搬送部３０、識別部３２、各紙幣収納部３４、３６、３８に設けられた紙幣繰出機構３５、３７、３９、ならびに紙幣回収カセット４０の搬送ベルト４２や紙幣押さえ部材４６を駆動するための駆動ギヤ５４、５６がそれぞれ接続されている。ここで、識別部３２による紙幣の識別結果に係る情報は紙幣釣銭機制御部６０に送られるようになっている。また、紙幣釣銭機制御部６０は、紙幣繰出機構２１、搬送部３０、各紙幣繰出機構３５、３７、３９、各駆動ギヤ５４、５６にそれぞれ指令を送ることによりこれらの構成要素の制御を行うようになっている。また、紙幣釣銭機制御部６０はインターフェース６１により硬貨釣銭機７０の硬貨釣銭機制御部７０ａに対して信号の送受信を行うようになっている。
【００４５】
次に、このような構成からなる紙幣釣銭機１０による入出金処理等の様々な処理内容について図６乃至図１６を用いて説明する。なお、以下に示すような紙幣の処理方法は、紙幣釣銭機制御部６０が紙幣釣銭機１０の各構成要素を制御することにより行われるようになっている。
【００４６】
まず、紙幣釣銭機１０において入金処理が行われる際の紙幣の流れについて図６を用いて説明する。なお、図６に係る入金処理方法では、紙幣釣銭機１０の筐体内に投入された紙幣は識別部３２により識別された後、入金一時保留部に一時的に保留されることなく各紙幣収納部３４、３６、３８に直接送られるようになっている。
【００４７】
操作者が紙幣受入部２０の紙幣受入口２０ａに紙幣の束を投入すると、図６の矢印に示すように、投入された紙幣は紙幣繰出機構２１により１枚ずつ搬送部３０の接続搬送部３０ｂに繰り出され、この接続搬送部３０ｂから周回搬送部３０ａに紙幣が受け渡される。周回搬送部３０ａに送られた紙幣は当該周回搬送部３０ａで図６における反時計回りの方向に少なくとも１周回るよう搬送され、この際に識別部３２により紙幣の金種、真偽、正損等の識別が行われる。ここで、周回搬送部３０ａにおいて、識別部３２と各紙幣収納部３４、３６、３８への分岐箇所との間の距離が小さいため、周回搬送部３０ａにより搬送される紙幣を識別部３２により識別する際には、当該周回搬送部３０ａで紙幣を少なくとも１周させている。
【００４８】
識別部３２により識別が行われた紙幣のうち正常な紙幣であると判別された紙幣は、その金種に対応する各紙幣収納部３４、３６、３８に送られ、これらの紙幣収納部３４、３６、３８に収納される。具体的には、紙幣収納部３４には千円札が収納され、紙幣収納部３６には二千円札および五千円札が混合状態で収納され、紙幣収納部３８には一万円札が収納される。一方、識別部３２による識別結果により正常な紙幣ではないと判別された紙幣は入金リジェクト紙幣として搬送部３０により紙幣払出部２２に搬送され、この紙幣払出部２２に集積される。操作者は、紙幣払出部２２に集積された入金リジェクト紙幣を紙幣取出口２２ａから取り出して紙幣受入部２０の紙幣受入口２０ａに再投入することができるようになっている。
【００４９】
次に、紙幣釣銭機１０において出金処理が行われる際の紙幣の流れについて図７を用いて説明する。出金される紙幣の合計金額あるいは金種別の枚数等を含む出金処理の開始指令が紙幣釣銭機制御部６０に入力されると、各紙幣収納部３４、３６、３８に収納されている紙幣が対応する各紙幣繰出機構３５、３７、３９により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図７における時計回りの方向に少なくとも１周回るよう搬送され、この際に識別部３２により紙幣の金種、真偽、正損等の識別が行われる。識別部３２により識別が行われた紙幣のうち正常な紙幣であると判別された紙幣は紙幣払出部２２に搬送され、この紙幣払出部２２に集積される。操作者は、紙幣払出部２２に集積された出金紙幣を紙幣取出口２２ａから取り出すことができるようになっている。一方、識別部３２による識別結果により正常な紙幣ではないと判別された紙幣（例えば、重送や斜行等の搬送異常の紙幣）は出金リジェクト紙幣として搬送部３０により出金リジェクト部２４に搬送され、この出金リジェクト部２４に集積される。出金リジェクト部２４に集積された出金リジェクト紙幣は、管理者等の所定の権限を有する者が紙幣釣銭機１０のケーシング１２から本体部１４を手前側に引き出すことにより取り出すことができるようになっている。なお、出金リジェクト紙幣は、出金リジェクト部２４に搬送される代わりに紙幣回収カセット４０に搬送され、この紙幣回収カセット４０に収納されるようになっていてもよい。
【００５０】
次に、紙幣釣銭機１０において精査処理が行われる際の紙幣の流れについて図８および図９を用いて説明する。ここで、精査処理とは、紙幣釣銭機１０の本体部１４の内部（具体的には、各紙幣収納部３４、３６、３８）に収納されている紙幣の在高を確認するために、各紙幣収納部３４、３６、３８に収納されている全ての紙幣について識別部３２により識別および計数を行う処理のことをいう。
【００５１】
全金種の精査処理開始の指令が操作者によってＰＯＳレジスタ７２の操作部７７により入力されたり管理装置９０からＰＯＳレジスタ７２のＰＯＳ制御部７３に送信されたりすると、まず、紙幣回収カセット４０に収納されているオーバーフロー紙幣（後述）や出金リジェクト紙幣が紙幣釣銭機１０の本体部１４における他の場所（例えば、出金リジェクト部２４、紙幣払出部２２、対応する金種の紙幣収納部３４、３６、３８、等）に移動させられ、紙幣回収カセット４０が空の状態となる。このような動作の詳細については後述する。
【００５２】
そして、紙幣回収カセット４０が空の状態となると、複数の紙幣収納部３４、３６、３８のうちまず紙幣収納部３４に収納されている紙幣が紙幣繰出機構３５により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図８における時計回りの方向に少なくとも１周回るよう搬送され、この際に識別部３２により紙幣の金種等の識別および計数が行われる。識別部３２により正常な紙幣であると識別された紙幣は紙幣回収カセット４０に送られ、この紙幣回収カセット４０のステージ４８上に集積される。一方、識別部３２による識別結果により正常な紙幣ではないと判別された紙幣（例えば、重送や斜行等の搬送異常の紙幣）は検査リジェクト紙幣として搬送部３０により出金リジェクト部２４に搬送され、この出金リジェクト部２４に集積される。出金リジェクト部２４に集積された検査リジェクト紙幣は、管理者等の所定の権限を有する者が紙幣釣銭機１０のケーシング１２から本体部１４を手前側に引き出すことにより取り出すことができるようになる。
【００５３】
そして、紙幣収納部３４に収納されている紙幣が全て紙幣回収カセット４０や出金リジェクト部２４に送られると、図９に示すように、紙幣回収カセット４０に収納されている紙幣が搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は識別部３２により識別および計数が行われることなく紙幣収納部３４に戻される。全ての紙幣が紙幣収納部３４に戻されると、当該金種（千円）の紙幣の在高が確定する。この際に、図９に示すように紙幣は周回搬送部３０ａを１周することなく紙幣収納部３４に送られるようになる。紙幣収納部３４に収納されている紙幣について上述の動作が完了すると、紙幣収納部３６、３８に収納されている紙幣についても上述の動作が紙幣収納部毎に行われる。このようにして、全ての紙幣収納部３４、３６、３８に収納されている紙幣について上述の動作が行われて識別部３２により紙幣の識別および計数が行われると、紙幣釣銭機１０における精査処理が完了する。
【００５４】
本実施の形態では、紙幣釣銭機１０における精査処理が完了した後、当該精査処理が行われる前に、紙幣回収カセット４０から出金リジェクト部２４や紙幣払出部２２へ退避させられていたオーバーフロー紙幣や出金リジェクト紙幣、ならびに精査処理が行われている間に発生した検査リジェクト紙幣を任意で紙幣釣銭機１０の筐体内に補充することができるようになっている。このような処理を行う場合には、これらの紙幣を操作者が出金リジェクト部２４や紙幣払出部２２から取り出して紙幣受入部２０の紙幣受入口２０ａに投入する。このことにより、投入された紙幣は紙幣繰出機構２１により１枚ずつ搬送部３０の接続搬送部３０ｂに繰り出され、この接続搬送部３０ｂから周回搬送部３０ａに紙幣が受け渡される。周回搬送部３０ａに送られた紙幣は当該周回搬送部３０ａで少なくとも１周回るよう搬送され、この際に識別部３２により紙幣の金種、真偽、正損等の識別が行われる。識別部３２により識別が行われた紙幣のうち正常な紙幣であると判別された紙幣は、その金種に対応する各紙幣収納部３４、３６、３８に送られ、これらの紙幣収納部３４、３６、３８に収納される。一方、識別部３２による識別結果により正常な紙幣ではないと判別された紙幣はリジェクト紙幣として搬送部３０により紙幣払出部２２に搬送され、この紙幣払出部２２に集積されることにより、操作者に紙幣が返却されるようになる。
【００５５】
本実施の形態では、図９に示すように、精査処理を行うにあたり紙幣回収カセット４０から各紙幣収納部３４、３６、３８に紙幣を戻す際に識別部３２により紙幣の識別および計数が行われないため、周回搬送部３０ａで紙幣を１周させることなく紙幣回収カセット４０から各紙幣収納部３４、３６、３８に紙幣を戻すことができる。このため、紙幣回収カセット４０から繰り出された紙幣に重送や連鎖等の搬送異常が生じた場合でも、周回搬送部３０ａから各接続搬送部３０ｂを経て各紙幣収納部３４、３６、３８に紙幣を強制的に送り込むことができるようになる。とりわけ、紙幣回収カセット４０には様々な金種の紙幣を収納することができるような大きさの紙幣収納スペースが設けられているため、比較的サイズが小さい紙幣が紙幣回収カセット４０から繰り出される際には当該紙幣回収カセット４０から繰り出された紙幣に重送や連鎖等の搬送異常が生じやすくなるが、このような場合でも周回搬送部３０ａから各接続搬送部３０ｂを経て各紙幣収納部３４、３６、３８に紙幣を強制的に送り込むことにより精査処理において違算等のトラブルの発生を抑制することができるようになる。これに対し、精査処理を行うにあたり紙幣回収カセット４０から各紙幣収納部３４、３６、３８に紙幣を戻す際に識別部３２により紙幣の識別および計数を行う場合には、紙幣回収カセット４０から繰り出された紙幣に重送や連鎖等の搬送異常が生じたときに識別部３２により紙幣の識別および計数を確実に行うことができないことがあり、精査処理において違算が発生してしまうおそれがある。
【００５６】
また、本実施の形態による紙幣釣銭機１０では、紙幣釣銭機制御部６０は、精査処理が終了した後にＰＯＳレジスタ７２の記憶部７８に元々記憶されていた各紙幣収納部３４、３６、３８の在高データと精査処理における精査結果（すなわち、紙幣の計数結果）とが異なる場合には、操作者による承認操作を経た上で、精査処理における精査結果を正として、記憶部７８に記憶されている各紙幣収納部３４、３６、３８の在高データを精査結果に基づいて書き換えるようにしてもよい。このことにより、紙幣釣銭機１０においてエラー発生時に当該紙幣釣銭機１０の筐体内への紙幣の戻し入れが行われていなかったりリジェクト紙幣が紙幣釣銭機１０の筐体内へ再投入されていなかったりした場合でも、紙幣釣銭機１０において各紙幣収納部３４、３６、３８に実際に収納されている紙幣の合計金額と記憶部７８に記憶されている各紙幣収納部３４、３６、３８の在高データとが一致するようになる。また、精査処理が終了した後に記憶部７８に元々記憶されていた各紙幣収納部３４、３６、３８の在高データと精査処理における精査結果（すなわち、紙幣の計数結果）とが異なる場合には、両者の間に差異があるという情報がＰＯＳレジスタ７２の表示部７６に表示されたり、記憶部７８に記憶されたり、あるいは管理装置９０に送信されたりするようになっていてもよい。このことにより、操作者や管理者はエラー発生時における紙幣釣銭機１０の筐体内への紙幣の戻し入れ動作や紙幣釣銭機１０の筐体内へのリジェクト紙幣の再投入動作に取り扱いミスがあったことを認識することができるようになる。なお、本実施の形態による紙幣釣銭機１０では、全金種の精査処理ではなく、一部の金種を指定してこの指定された一部の金種について精査処理を行うことも可能である。
【００５７】
また、本実施の形態による紙幣釣銭機１０では、紙幣回収カセット４０は当該紙幣回収カセット４０に収納された紙幣を本体部１４の接続搬送部３０ｂに繰り出すことができるようになっているため、紙幣釣銭機１０において入金処理を行う際に紙幣回収カセット４０を入金一時保留部として使用することができる。紙幣釣銭機１０において入金処理時に紙幣回収カセット４０を入金一時保留部として使用したときの紙幣の流れについて図１０および図１１を用いて説明する。
【００５８】
操作者が紙幣受入部２０の紙幣受入口２０ａに紙幣の束を投入すると、投入された紙幣は紙幣繰出機構２１により１枚ずつ搬送部３０の接続搬送部３０ｂに繰り出され、この接続搬送部３０ｂから周回搬送部３０ａに紙幣が受け渡される。周回搬送部３０ａに送られた紙幣は当該周回搬送部３０ａで図１０における矢印に示すようにまず反時計回りの方向に搬送された後、途中で搬送方向が切り替えられて時計回りの方向に搬送される。また、このような紙幣の搬送時に識別部３２により当該紙幣の金種、真偽、正損等の識別が行われる。識別部３２により識別が行われた紙幣のうち正常な紙幣であると判別された紙幣は紙幣回収カセット４０に送られ、この紙幣回収カセット４０のステージ４８上に集積される。紙幣回収カセット４０では、紙幣が金種混合状態で一時的に保留されるようになる。一方、識別部３２による識別結果により正常な紙幣ではないと判別された紙幣は入金リジェクト紙幣として搬送部３０により紙幣払出部２２に搬送され、この紙幣払出部２２に集積される。操作者は、紙幣払出部２２に集積された入金リジェクト紙幣を紙幣取出口２２ａから取り出して紙幣受入部２０の紙幣受入口２０ａに再投入することができるようになっている。
【００５９】
そして、紙幣受入部２０に受け入れられた紙幣が全て紙幣回収カセット４０または紙幣払出部２２に搬送された後、操作者がＰＯＳレジスタ７２の操作部７７により入金確定（承認）の指令を入力すると、紙幣回収カセット４０に収納されている紙幣が搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は図１１に示すように当該周回搬送部３０ａで反時計回りの方向に搬送され、その後その金種に対応する各紙幣収納部３４、３６、３８に送られ、これらの紙幣収納部３４、３６、３８に収納される。具体的には、紙幣収納部３４には千円札が収納され、紙幣収納部３６には二千円札および五千円札が混合状態で収納され、紙幣収納部３８には一万円札が収納される。一方、紙幣受入部２０に受け入れられた紙幣が全て紙幣回収カセット４０または紙幣払出部２２に搬送された後、操作者がＰＯＳレジスタ７２の操作部７７により入金確定（承認）の指令の代わりに返却（非承認）の指令を入力すると、紙幣回収カセット４０に収納されている紙幣が搬送ベルト４２により１枚ずつ接続搬送部３０ｂに繰り出され、この接続搬送部３０ｂから周回搬送部３０ａに紙幣が受け渡された後、紙幣払出部２２に搬送されることにより、操作者に紙幣が返却されるようになる。
【００６０】
また、本実施の形態による紙幣釣銭機１０では、紙幣回収カセット４０は当該紙幣回収カセット４０に収納された紙幣を本体部１４の接続搬送部３０ｂに繰り出すことができるようになっているため、紙幣釣銭機１０において入金処理を行う際に識別部３２により識別された紙幣の金種に対応する紙幣収納部３４、３６、３８がフル状態またはニヤフル状態の場合には当該紙幣をオーバーフロー紙幣として紙幣回収カセット４０に一時的に収納させるような運用を行うことができる。紙幣回収カセット４０において、このようなオーバーフロー紙幣は金種混合状態で収納されるようになる。そして、紙幣釣銭機１０において入金処理の後に行われる出金処理においてフル状態またはニヤフル状態となっている紙幣収納部３４、３６、３８から紙幣が繰り出されることにより当該紙幣収納部３４、３６、３８において紙幣の収納スペースに空きができた場合には、紙幣回収カセット４０からオーバーフロー紙幣を繰り出して当該紙幣の金種に対応する紙幣収納部３４、３６、３８に送るようになっている。
【００６１】
このようなオーバーフロー紙幣の再配分の処理方法における紙幣の流れについて図１２を用いて説明する。紙幣回収カセット４０に収納されているオーバーフロー紙幣について、当該紙幣の金種に対応する紙幣収納部３４、３６、３８における紙幣の収納スペースに空きができると、紙幣回収カセット４０に収納されている紙幣が搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は図１２に示すように当該周回搬送部３０ａで少なくとも１周回るよう反時計回りの方向に搬送され、この際に識別部３２により紙幣の識別が行われる。識別部３２により識別が行われた紙幣はその金種に対応する各紙幣収納部３４、３６、３８に送られ、これらの紙幣収納部３４、３６、３８に収納される。このようにして、紙幣回収カセット４０に収納されているオーバーフロー紙幣が各紙幣収納部３４、３６、３８に戻されるようになる。
【００６２】
また、本実施の形態による紙幣釣銭機１０では、紙幣回収カセット４０は当該紙幣回収カセット４０に収納された紙幣を本体部１４の接続搬送部３０ｂに繰り出すことができるようになっているため、紙幣回収カセット４０を用いて各紙幣収納部３４、３６、３８への紙幣の補充処理を行うことができるようになる。すなわち、従来技術の紙幣釣銭機では、各紙幣収納部３４、３６、３８への紙幣の補充処理を行う際に、紙幣受入部２０に紙幣の束を投入し、上述した入金処理と同様の処理を行うことにより紙幣受入部２０に受け入れられた紙幣を識別部３２により識別した後に各紙幣収納部３４、３６、３８に収納していた。これに対し、本実施の形態による紙幣釣銭機１０における紙幣の補充処理では、出納室等において紙幣回収カセット４０に紙幣を補充し、この紙幣回収カセット４０を紙幣釣銭機１０まで運搬してカセット収容部５０に収容させることにより、各紙幣収納部３４、３６、３８に収納されるべき補充紙幣を紙幣回収カセット４０から繰り出して識別部３２により識別した後に各紙幣収納部３４、３６、３８に収納することができるようになる。このような紙幣回収カセット４０を用いた紙幣の補充処理方法では、紙幣受入部２０に紙幣を投入する方法と比較して操作者が補充紙幣に直接手を触れることが無くなるためセキュリティ性を向上させるとともに、紙幣を取り扱うことに起因する当該操作者の精神的負担を軽減することができる。
【００６３】
このような紙幣回収カセット４０を用いた紙幣の補充処理方法における紙幣の流れについて図１２を用いて説明する。補充紙幣が収納された紙幣回収カセット４０をカセット収容部５０に収容すると、紙幣回収カセット４０に収納されている紙幣が搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は図１２に示すように当該周回搬送部３０ａで少なくとも１周回るよう反時計回りの方向に搬送され、この際に識別部３２により紙幣の金種、真偽、正損等の識別が行われる。識別部３２により識別が行われた紙幣はその金種に対応する各紙幣収納部３４、３６、３８に送られ、これらの紙幣収納部３４、３６、３８に収納される。なお、搬送異常等により識別できなかった紙幣は、紙幣払出部２２または出金リジェクト部２４へ搬送される。そして、紙幣回収カセット４０が空になると、紙幣収納部３４、３６、３８への紙幣の補充処理が完了する。
【００６４】
また、本実施の形態では、紙幣釣銭機１０において紙幣の出金処理が行われる際に、各紙幣収納部３４、３６、３８に収納されている紙幣の量が不足する場合には、紙幣が収納された紙幣回収カセット４０をカセット収容部５０に収容することによりこの紙幣回収カセット４０に収納されている紙幣を紙幣払出部２２に直接払い出すことができるようになっている。このようなダイレクト出金処理時の紙幣の流れについて図１３を用いて説明する。出金処理が行われている際に、各紙幣収納部３４、３６、３８における収納量が不足する金種の紙幣が収納された紙幣回収カセット４０をカセット収容部５０に収容すると、図１３に示すように、当該紙幣回収カセット４０から繰り出された紙幣は識別部３２により識別が行われ、不足していた金種の紙幣は紙幣払出部２２に搬送され、この紙幣払出部２２に集積されるようになる。また、対象外の金種の紙幣は、対応する紙幣収納部３４、３６、３８へ搬送される。このようなダイレクト出金処理を行った場合には、紙幣の出金処理が行われる際に各紙幣収納部３４、３６、３８に収納されている紙幣の量が不足するときに、紙幣回収カセット４０から繰り出された紙幣が全て紙幣収納部３４、３６、３８に収納された後にこれらの紙幣収納部３４、３６、３８から出金紙幣を繰り出して紙幣払出部２２に送るような方法と比較して、紙幣払出部２２に出金紙幣が送られる時間を大幅に短縮することができ、操作者の待ち時間を短縮することができるようになる。
【００６５】
また、本実施の形態では、紙幣釣銭機１０において紙幣の出金処理が行われる際に、各紙幣収納部３４、３６、３８に収納されている紙幣の量が不足する場合において不足する紙幣の金種に対応するオーバーフロー紙幣が紙幣回収カセット４０に収納されているときには、この紙幣回収カセット４０に収納されているオーバーフロー紙幣を紙幣払出部２２に直接払い出すことができるようになっている。
【００６６】
また、本実施の形態では、紙幣回収カセット４０を用いて各紙幣収納部３４、３６、３８への紙幣の補充処理を行っている間に紙幣の出金処理開始の指令がＰＯＳレジスタ７２のＰＯＳ制御部７３に与えられたときに、紙幣回収カセット４０から繰り出された紙幣を各紙幣収納部３４、３６、３８に収納する代わりに紙幣払出部２２に直接払い出すことができるようになっている。より詳細には、紙幣回収カセット４０を用いた紙幣の補充処理が行われている間に紙幣の出金処理開始の指令がＰＯＳレジスタ７２のＰＯＳ制御部７３に与えられると、図１３に示すように、紙幣回収カセット４０から繰り出された紙幣は識別部３２により識別が行われた後、出金対象となる金種の紙幣は紙幣払出部２２に搬送され、この紙幣払出部２２に集積されるようになる。一方、紙幣回収カセット４０から繰り出されて識別部３２により識別された紙幣のうち出金対象とならない紙幣は、当該紙幣の金種に対応する紙幣収納部３４、３６、３８に収納される。このようなダイレクト出金処理を行った場合には、紙幣回収カセット４０から繰り出された補充紙幣が全て紙幣収納部３４、３６、３８に収納された後にこれらの紙幣収納部３４、３６、３８から出金紙幣を繰り出して紙幣払出部２２に送るような方法と比較して、紙幣払出部２２に出金紙幣が送られる時間を大幅に短縮することができ、操作者の待ち時間を短縮することができるようになる。
【００６７】
また、本実施の形態では、オーバーフロー紙幣を紙幣回収カセット４０に一時的に収納させるような処理が行われる場合、紙幣回収カセット４０にオーバーフロー紙幣が収納されている状態で精査処理開始の指令が操作者によってＰＯＳレジスタ７２の操作部７７により入力されたり管理装置９０からＰＯＳレジスタ７２のＰＯＳ制御部７３に送信されたりすると、各紙幣収納部３４、３６、３８に収納されている紙幣を紙幣回収カセット４０に送る前にこの紙幣回収カセット４０に収納されているオーバーフロー紙幣を当該紙幣回収カセット４０から繰り出して紙幣釣銭機１０における他の場所に移動させるようになっている。このようなオーバーフロー紙幣を紙幣回収カセット４０から紙幣釣銭機１０における他の場所に移動させる処理における紙幣の流れについて図１４乃至図１６を用いて説明する。
【００６８】
紙幣回収カセット４０にオーバーフロー紙幣が収納されている状態で精査処理開始の指令がＰＯＳレジスタ７２のＰＯＳ制御部７３に入力されると、紙幣回収カセット４０に収納されているオーバーフロー紙幣は出金リジェクト部２４、紙幣払出部２２、ならびに紙幣収納部３４、３６、３８のうち何れかの場所に移されるようになる。紙幣回収カセット４０に収納されているオーバーフロー紙幣を出金リジェクト部２４に移動させる場合には、紙幣回収カセット４０から繰り出された紙幣は搬送部３０により図１４の矢印で示す流れに沿って搬送される。また、紙幣回収カセット４０に収納されているオーバーフロー紙幣を紙幣払出部２２に移動させる場合には、紙幣回収カセット４０から繰り出された紙幣は搬送部３０により図１５の矢印で示す流れに沿って搬送される。また、紙幣回収カセット４０に収納されているオーバーフロー紙幣を紙幣収納部３４、３６、３８に移動させる場合には、紙幣回収カセット４０から繰り出された紙幣は搬送部３０により図１６の矢印で示す流れに沿って搬送され、識別部３２により識別が行われた後、当該紙幣の金種に対応する紙幣収納部３４、３６、３８に収納されるようになる。このような処理を行うことにより、紙幣の精査処理を行う際に紙幣回収カセット４０を空の状態とすることができるようになり、オーバーフロー紙幣が収納されている紙幣回収カセット４０を空の紙幣回収カセット４０に交換する必要がなくなる。
【００６９】
以上のような構成からなる本実施の形態の紙幣釣銭機１０によれば、精査処理を行う際に、各紙幣収納部３４、３６、３８に収納されている紙幣を搬送部３０により補助収納部としての紙幣回収カセット４０に送った後にこの紙幣回収カセット４０に収納された紙幣を搬送部３０により各紙幣収納部３４、３６、３８に戻し、この間に搬送部３０の周回搬送部３０ａにより搬送される紙幣を識別部３２により識別するようになっている。この場合には、精査処理を行う際に紙幣収納部３４、３６、３８とは別に設けられた紙幣回収カセット４０を補助収納部として用いることにより紙幣収納部３４、３６、３８に収納された紙幣を他の紙幣収納部３４、３６、３８に移す必要がないため、紙幣収納部３４、３６、３８に収納されている紙幣が多い場合でも確実に精査処理を行うことができ、また複数の金種の紙幣が混合してしまうことを防止することができる。
【００７０】
また、本実施の形態の紙幣釣銭機１０においては、上述したように、補助収納部としての紙幣回収カセット４０は紙幣釣銭機１０の筐体内（具体的には、本体部１４内）から取り出し可能となっている。このことにより、紙幣回収カセット４０を用いて各紙幣収納部３４、３６、３８に紙幣を補充することができるようになる。ここで、補助収納部としての紙幣回収カセット４０は紙幣釣銭機１０の筐体の前面から手前側に引き出し可能となっている。
【００７１】
また、本実施の形態の紙幣釣銭機１０においては、上述したように、補助収納部としての紙幣回収カセット４０には、当該紙幣回収カセット４０に収納された紙幣を搬送部３０に繰り出す繰出機構として搬送ベルト４２が設けられており、紙幣回収カセット４０が紙幣釣銭機１０の筐体内（具体的には、本体部１４内）に収容されているときに紙幣釣銭機１０の本体部１４側から紙幣回収カセット４０の繰出機構に動力が伝達されることによってこの繰出機構は紙幣回収カセット４０に収納された紙幣を搬送部３０に繰り出すようになっている。この場合には、紙幣回収カセット４０に繰出機構の動力源を設ける必要がなくなるため、当該紙幣回収カセット４０の小型化や軽量化を図ることができるようになる。
【００７２】
また、本実施の形態の紙幣釣銭機１０においては、上述したように、補助収納部としての紙幣回収カセット４０を、紙幣受入部２０により筐体内に投入されて識別部３２により識別された紙幣を一時的に保留する入金一時保留部として機能させることができるようになっており、入金確定の指令がＰＯＳレジスタ７２のＰＯＳ制御部７３に与えられたときに、入金一時保留部として機能する紙幣回収カセット４０に一時的に保留された紙幣が各紙幣収納部３４、３６、３８に送られるようになっている。
【００７３】
また、本実施の形態の紙幣釣銭機１０においては、上述したように、紙幣釣銭機制御部６０は、各紙幣収納部３４、３６、３８に収納されている紙幣の在高データと精査処理による精査結果とが異なるときに、操作者による承認操作を経ることで、在高データを精査結果と合致させるよう当該在高データの更新を行うようになっている。このことにより、紙幣釣銭機１０においてエラー発生時に当該紙幣釣銭機１０の筐体内への紙幣の戻し入れが行われていなかったりリジェクト紙幣が紙幣釣銭機１０の筐体内へ再投入されていなかったりした場合でも、紙幣釣銭機１０において各紙幣収納部３４、３６、３８に実際に収納されている紙幣の合計金額とＰＯＳレジスタ７２の記憶部７８に記憶されている各紙幣収納部３４、３６、３８の在高データとが一致するようになる。
【００７４】
なお、本実施の形態による紙幣釣銭機１０は、上述したような態様に限定されることはなく、様々な変更を加えることができる。
【００７５】
例えば、精査処理において各紙幣収納部３４、３６、３８から繰り出された紙幣が一時的に収納される補助収納部は紙幣回収カセット４０に限定されることはない。収納された紙幣を搬送部３０に繰り出すことができるものであれば、紙幣釣銭機１０における補助収納部として紙幣回収カセット４０以外のものを用いてもよい。また、このような精査処理において用いられる補助収納部は、当該紙幣釣銭機１０の本体部１４から着脱可能となっていなくてもよい。
【００７６】
また、図２等に示すような紙幣釣銭機１０において精査処理が行われる際に、各紙幣収納部３４、３６、３８から繰り出された紙幣が紙幣回収カセット４０に送られるまでの間に識別部３２により紙幣の識別および計数を行う代わりに、紙幣回収カセット４０から各紙幣収納部３４、３６、３８に紙幣が戻される際に識別部３２により紙幣の識別および計数を行うようになっていてもよい。紙幣回収カセット４０から紙幣が繰り出される精度が高いものであれば、このような運用を行っても問題とならない。
【００７７】
また、精査処理が行われる際に紙幣回収カセット等の補助収納部に紙幣が一時的に収納されるような紙幣釣銭機は、図２乃至図１６に示すような環状の周回搬送部３０ａを有する構成のものに限定されることはない。本発明に係る紙幣釣銭機の他の構成例について図１７を用いて説明する。
【００７８】
図１７に示すような内部構成を有する紙幣釣銭機１１０も、図２乃至図１６に示す紙幣釣銭機１０と同様に、店舗のフロント領域のレジ精算所において硬貨釣銭機（図示せず）に併設されるようになっており、これらの硬貨釣銭機や紙幣釣銭機１１０にはＰＯＳレジスタ（図示せず）が通信可能に接続されるようになっている。
【００７９】
図１７に示すように、変形例に係る紙幣釣銭機１１０の筐体の内部には搬送部１３０が設けられており、この搬送部１３０は紙幣を１枚ずつ搬送するよう構成されている。また、この搬送部１３０には、紙幣受入部１２０、紙幣払出部１２２、出金リジェクト部１２４、紙幣回収カセット１４０および３つの紙幣収納部１３４、１３６、１３８がそれぞれ接続されている。また、搬送部１３０には入金識別部１３２および出金識別部１３３が設けられている。ここで、入金識別部１３２は、紙幣の入金処理時において搬送部１３０により搬送される紙幣の識別を行うようになっており、また、出金識別部１３３は、紙幣の出金処理時において搬送部１３０により搬送される紙幣の識別を行うようになっている。また、搬送部１３０には、紙幣の搬送経路を切り換える経路切換部（図示せず）が複数配置されている。
【００８０】
各紙幣収納部１３４、１３６、１３８は、紙幣を１枚ずつ一対のテープ間に挟み込んだ状態で当該テープを紙幣とともに回転ドラム１３５、１３７、１３９に巻き取るテープリール式のものからなる。このような紙幣収納部１３４、１３６、１３８には、入金識別部１３２の識別結果に基づいて紙幣が金種別に収納されるようになっている。具体的には、例えば紙幣収納部１３４には千円札が収納され、紙幣収納部１３６には二千円札および五千円札が混合状態で収納され、紙幣収納部１３８には一万円札が収納されるようになっている。また、各紙幣収納部１３４、１３６、１３８に収納されている紙幣は、回転ドラム１３５、１３７、１３９を紙幣の収納方向とは逆方向に回転させることにより、搬送部１３０側へ１枚ずつ繰り出されるようになっている。
【００８１】
紙幣受入部１２０には紙幣繰出機構１２１が設けられており、当該紙幣受入部１２０に紙幣が投入されたことが検知されると紙幣繰出機構１２１が駆動されることにより紙幣が搬送部１３０側へ１枚ずつ繰り出されるようになっている。
【００８２】
紙幣払出部１２２は、出金処理時等において各紙幣収納部１３４、１３６、１３８から搬送部１３０に繰り出された紙幣を筐体の外部へ払い出すようになっている。
【００８３】
出金リジェクト部１２４は、出金処理時において各紙幣収納部１３４、１３６、１３８から繰り出された紙幣のうち、重送や斜行等の搬送異常により出金識別部１３３で識別することができない紙幣を出金リジェクト紙幣として収納するようになっている。また、紙幣受入部１２０から紙幣釣銭機１１０の筐体内に取り込まれた紙幣のうち、入金処理時において汚損等により入金識別部１３２で識別することができない紙幣は入金リジェクト紙幣として紙幣払出部１２２に返却されるようになっている。
【００８４】
紙幣釣銭機１１０の筐体の前面下部にはカセット収容部１５０が設けられており、このカセット収容部１５０に紙幣回収カセット１４０が着脱可能に収容されるようになっている。紙幣回収カセット１４０は筐体の前面から手前側に引き出すことにより当該筐体の外部に取り出すことができるようになっている。このような紙幣回収カセット１４０は、図２乃至図１６に示す紙幣釣銭機１０における紙幣回収カセット４０と同様の構成となっている。
【００８５】
図１７に示す紙幣釣銭機１１０における精査処理について以下に説明する。全金種の精査処理開始の指令がＰＯＳレジスタのＰＯＳ制御部（図示せず）に与えられると、複数の紙幣収納部１３４、１３６、１３８のうちまず紙幣収納部１３４に収納されている紙幣が１枚ずつ搬送部１３０に繰り出され、この搬送部１３０により搬送される。そして、紙幣が搬送部１３０により搬送される際に入金識別部１３２または出金識別部１３３により紙幣の金種等の識別および計数が行われる。入金識別部１３２や出金識別部１３３により正常な紙幣であると識別された紙幣は紙幣回収カセット１４０に送られ、この紙幣回収カセット１４０内に収納される。一方、入金識別部１３２や出金識別部１３３による識別結果により正常な紙幣ではないと判別された紙幣（例えば、重送や斜行等の搬送異常の紙幣）は検査リジェクト紙幣として搬送部１３０により出金リジェクト部１２４に搬送され、この出金リジェクト部１２４に集積される。
【００８６】
そして、紙幣収納部１３４に収納されている紙幣が全て紙幣回収カセット１４０や出金リジェクト部１２４に送られると、紙幣回収カセット１４０に収納されている紙幣が１枚ずつ搬送部１３０に繰り出され、この搬送部１３０により搬送される。搬送部１３０により搬送される紙幣は入金識別部１３２や出金識別部１３３により識別および計数が行われることなく紙幣収納部１３４に戻される。紙幣収納部１３４に収納されている紙幣について上述の動作が完了すると、紙幣収納部１３６、１３８に収納されている紙幣についても上述の動作が紙幣収納部毎に行われる。このようにして、全ての紙幣収納部１３４、１３６、１３８に収納されている紙幣について上述の動作が行われて入金識別部１３２や出金識別部１３３により識別および計数が行われると、紙幣釣銭機１１０における精査処理が完了する。なお、上記の紙幣釣銭機１１０では、全金種の精査処理ではなく、一部の金種を指定してこの指定された一部の金種について精査処理を行うことも可能である。
【００８７】
図１７に示すような紙幣釣銭機１１０によれば、図２乃至図１６に示す紙幣釣銭機１０と同様に、精査処理を行う際に、各紙幣収納部１３４、１３６、１３８に収納されている紙幣を搬送部１３０により補助収納部としての紙幣回収カセット１４０に送った後にこの紙幣回収カセット１４０に収納された紙幣を搬送部１３０により各紙幣収納部１３４、１３６、１３８に戻し、この際に搬送部１３０により搬送される紙幣を入金識別部１３２または出金識別部１３３により識別するようになっている。この場合には、精査処理を行う際に紙幣収納部１３４、１３６、１３８とは別に設けられた紙幣回収カセット１４０を補助収納部として用いることにより紙幣収納部１３４、１３６、１３８に収納された紙幣を他の紙幣収納部１３４、１３６、１３８に移す必要がないため、紙幣収納部１３４、１３６、１３８に収納されている紙幣が多い場合でも確実に精査処理を行うことができ、また複数の金種の紙幣が混合してしまうことを防止することができる。
【００８８】
なお、本発明による紙幣処理装置は、図２乃至図１６に示すような構成の紙幣釣銭機１０や図１７に示すような構成の紙幣釣銭機１１０等の紙幣釣銭機に限定されることはない。本発明による紙幣処理装置として、バックヤード領域の出納室に設置される紙幣入出金機等の、紙幣釣銭機以外のものを用いてもよい。また、本発明は、紙幣釣銭機と硬貨釣銭機とが一体となった釣銭機に適用されてもよい。
【符号の説明】
【００８９】
２  フロント領域
４  バックヤード領域
１０  紙幣釣銭機
１２  ケーシング
１４  本体部
１６  引き出しレール
２０  紙幣受入部
２０ａ  紙幣受入口
２１  紙幣繰出機構
２２  紙幣払出部
２２ａ  紙幣取出口
２４  出金リジェクト部
３０  搬送部
３０ａ  周回搬送部
３０ｂ  接続搬送部
３２  識別部
３４、３６、３８  紙幣収納部
３５、３７、３９  紙幣繰出機構
４０  紙幣回収カセット
４１  紙幣出入口
４２  搬送ベルト
４２ａ  プーリ
４３  ベルト用ギヤ
４４  ピンチローラ
４５  分離ローラ
４６  紙幣押さえ部材
４７  リンク機構
４７ａ  開口
４８  ステージ
４９  昇降機構
５０  カセット収容部
５２  有無検知センサ
５４  駆動ギヤ
５６  駆動ギヤ
５６ａ  ピン部材
６０  紙幣釣銭機制御部
６１  インターフェース
７０  硬貨釣銭機
７０ａ  硬貨釣銭機制御部
７１  インターフェース
７２  ＰＯＳレジスタ
７３  ＰＯＳ制御部
７４  カードリーダ
７５  印字部
７６  表示部
７７  操作部
７８  記憶部
７９  インターフェース
８０  売上金入出金機
９０  管理装置
１１０  紙幣釣銭機
１２０  紙幣受入部
１２１  紙幣繰出機構
１２２  紙幣払出部
１２４  出金リジェクト部
１３０  搬送部
１３２  入金識別部
１３３  出金識別部
１３４、１３６、１３８  紙幣収納部
１３５、１３７、１３９  回転ドラム
１４０  紙幣回収カセット
１５０  カセット収容部
【図１Ａ】
2015170341.tif 000003
【図１Ｂ】
2015170341.tif 000004
【図２】
2015170341.tif 000005
【図３Ａ】
2015170341.tif 000006
【図３Ｂ】
2015170341.tif 000007
【図４Ａ】
2015170341.tif 000008
【図４Ｂ】
2015170341.tif 000009
【図４Ｃ】
2015170341.tif 000010
【図４Ｄ】
2015170341.tif 000011
【図５】
2015170341.tif 000012
【図６】
2015170341.tif 000013
【図７】
2015170341.tif 000014
【図８】
2015170341.tif 000015
【図９】
2015170341.tif 000016
【図１０】
2015170341.tif 000017
【図１１】
2015170341.tif 000018
【図１２】
2015170341.tif 000019
【図１３】
2015170341.tif 000020
【図１４】
2015170341.tif 000021
【図１５】
2015170341.tif 000022
【図１６】
2015170341.tif 000023
【図１７】
2015170341.tif 000024